(57)【要約】【課題】巻取りドラムによる作業性を維持しつつ、軽量化、コスト削減が可能で、巻取り収納時には太陽光発電シートの保護が可能で、可搬性および収納性に優れたハンドル巻取り式ソーラー発電機を提供すること。【解決手段】可撓性を有する太陽光発電シートと、前記太陽光発電シートを巻回する円筒状のドラムと、前記太陽光発電シートの長手方向一端側に連設され、他端側から前記ドラムに巻回された前記太陽光発電シートの外周面を被包する可撓性を有するカバーシートと、前記ドラムの回転軸をその両端部で回転可能に支持する一対の支持脚及びこれらの支持脚を前記ドラムの外側で互いに連結する複数の連結部材よりなる支持フレームと、該支持フレームの一方の支持脚の外方から前記ドラムの回転軸に連結されるハンドルと、前記ドラムの側端部に配され、前記太陽光発電シートによる電力を出力する出力部とより構成してなるハンドル巻取り式ソーラー発電機。【選択図】図１
2012028447.tif 000002
【特許請求の範囲】
【請求項１】
可撓性を有する太陽光発電シートと、
前記太陽光発電シートを巻回する円筒状のドラムと、
前記太陽光発電シートの長手方向一端側に連設され、他端側から前記ドラムに巻回された前記太陽光発電シートの外周面を被包する可撓性を有するカバーシートと、
前記ドラムの回転軸をその両端部で回転可能に支持する一対の支持脚及びこれらの支持脚を前記ドラムの外側で互いに連結する複数の連結部材よりなる支持フレームと、
該支持フレームの一方の支持脚の外方から前記ドラムの回転軸に連結されるハンドルと、
前記ドラムの側端部に配され、前記太陽光発電シートによる電力を出力する出力部とより構成してなり、
前記複数の連結部材の間の空間から、前記ドラムに巻回されているカバーシートおよび太陽光発電シートを引き出し可能とし、且つ、前記ハンドルにより前記ドラムを回転操作して前記太陽光発電シートおよびカバーシートを前記ドラムに巻取り可能としたことを特徴とするハンドル巻取り式ソーラー発電機。
【請求項２】
前記太陽光発電シートの他端側を、前記ドラムに連結されている可撓性を有した延長シートに対して着脱可能に連結してなる請求項１に記載のハンドル巻取り式ソーラー発電機。
【請求項３】
前記太陽光発電シートの両側端部に長手方向に、間隔をあけて複数の貫通孔を設けてなる請求項１または２に記載のハンドル巻取り式ソーラー発電機。
【発明の詳細な説明】
【技術分野】
【０００１】
本発明は、ソーラー発電機に関し、更に詳しくは、ハンドル巻取り式ソーラー発電機に関するものである。
【背景技術】
【０００２】
この種のソーラー発電機として、従来、可撓性を有する太陽光発電シートと、該太陽光発電シートを巻き取るローラ（以下、ドラムともいう。）を内蔵し、前記太陽光発電シートを前記ローラ（ドラム）に巻き取り、引き出し可能に収納する箱型などの収納ケースとよりなる太陽光（以下、ソーラーともいう。）発電装置が種々提案されている（例えば、特許文献１〜３参照。）。このような装置に使用される太陽光発電シートは非常に軽量であり、ドラムに巻きつけて、比較的コンパクトで、簡便に収納できるメリットがある。しかしながら、特許文献１〜３に記載の装置では、ローラ（ドラム）に巻回したシート全体を保護するための収納ケースを用いるため、軽量化、コスト削減には一定の限界がある。また、特許文献３には、収納ケースのうちシートの覆いを無くした装置も開示されているが、シートが損傷するだけでなく、収納状態での発電による感電などの安全上の問題が生じるおそれもある。
【先行技術文献】
【特許文献】
【０００３】
【特許文献１】特開平０１−１１０７７７号公報
【特許文献２】特開２００６−８６２０３号公報
【特許文献３】特開２００９−３０２４５７号公報
【発明の概要】
【発明が解決しようとする課題】
【０００４】
上記の問題に鑑み、本発明の目的とするところは、巻取りドラムによる作業性を維持しつつ、軽量化、コスト削減が可能で、巻取り収納時には太陽光発電シートの保護が可能で、可搬性および収納性に優れたハンドル巻取り式ソーラー発電機を提供することにある。
【課題を解決するための手段】
【０００５】
本発明は、前述の課題解決のために、可撓性を有する太陽光発電シートと、前記太陽光発電シートを巻回する円筒状のドラムと、前記太陽光発電シートの長手方向一端側に連設され、他端側から前記ドラムに巻回された前記太陽光発電シートの外周面を被包する可撓性を有するカバーシートと、前記ドラムの回転軸をその両端部で回転可能に支持する一対の支持脚及びこれらの支持脚を前記ドラムの外側で互いに連結する複数の連結部材よりなる支持フレームと、該支持フレームの一方の支持脚の外方から前記ドラムの回転軸に連結されるハンドルと、前記ドラムの側端部に配され、前記太陽光発電シートによる電力を出力する出力部とより構成してなり、前記複数の連結部材の間の空間から、前記ドラムに巻回されているカバーシートおよび太陽光発電シートを引き出し可能とし、且つ、前記ハンドルにより前記ドラムを回転操作して前記太陽光発電シートおよびカバーシートを前記ドラムに巻取り可能としたことを特徴とするハンドル巻取り式ソーラー発電機を構成した。
【０００６】
また、本発明では、前記太陽光発電シートの他端側を、前記ドラムに連結されている可撓性を有した延長シートに対して着脱可能に連結しても良い。
【０００７】
さらに、本発明では、前記太陽光発電シートの両側端部に、長手方向に間隔をあけて複数の貫通孔を設けても良い。
【発明の効果】
【０００８】
本願発明によれば、ドラムおよびハンドルを有することで、該ドラムに巻回されているカバーシートおよび太陽光発電シートの引き出しと巻回とを簡便、迅速に行うことができ、かつ、巻取り収納時にはカバーシートが太陽光発電シートを保護する保護カバーとして機能し、従来の箱型などの収納ケースが不要なため、巻取りドラムによる作業性を維持しつつ、軽量化、コスト削減が可能であり、可搬性および収納性に優れたハンドル巻取り式ソーラー発電機を提供することができる。
【０００９】
また、前記延長シートを用いれば、支持フレームと太陽光発電シートとの距離を確保可能なため、太陽光発電シートが支持フレームなどの影にならずに確実に太陽光を受光可能となる。さらに、太陽光発電シートは延長シートから取り外しが可能なため、携帯性に優れ、取り外した太陽光発電シートのみを日当たりが良好で、発電効率が良好な位置に配置し、外部機器と接続することが可能であるうえ、太陽光発電シートが劣化した場合の取り換えも可能である。
【００１０】
また、前記太陽光発電シートに特定の貫通孔を設けることにより、太陽光発電シートを容易に所望の設置面などに固定が可能となり、風の影響を殆ど受けることなく、安定して良好な受光、発電が可能となる。
【図面の簡単な説明】
【００１１】
【図１】本発明に係るハンドル巻取り式ソーラー発電機の一実施例を示す斜視図。
【図２】本発明に係るハンドル巻取り式ソーラー発電機の一実施例において、その構成部材の組立て過程を模式的に示す説明図。
【図３】本発明に係るハンドル巻取り式ソーラー発電機の一実施例において、太陽光発電シート、カバーシートおよび延長シートをドラムに巻回した状態を示す正面図。
【図４】図３に示す本発明に係るハンドル巻取り式ソーラー発電機の一実施例の一側面図。
【図５】本発明におけるドラムの一実施例の内部、および回転軸へのハンドルの結合を模式的に示したドラム回転軸方向の断面図。
【発明を実施するための形態】
【００１２】
次に、本発明の実施形態を添付図面に基づき詳細に説明する。
【００１３】
本発明に係るハンドル巻取り式ソーラー発電機１は、図１〜５に示すように、可撓性を有する太陽光発電シート２と、太陽光発電シート２を巻回する円筒状のドラム４と、太陽光発電シート２の長手方向一端側２５ａに連設され、他端側２５ｂからドラム４に巻回された太陽光発電シート２の外周面を被包する可撓性を有するカバーシート３と、ドラム４の回転軸４３をその両端部で回転可能に支持する一対の支持脚５１及びこれらの支持脚５１をドラム４の外側で互いに連結する複数（本実施形態では４つ）の連結部材５２よりなる支持フレーム５と、支持フレーム５の一方の支持脚５１の外方からドラム４の回転軸４３に連結されるハンドル６と、ドラム４の側端部に配され、太陽光発電シート２による電力を出力する出力部７とより構成してなる。尚、本実施形態では、太陽光発電シート２の他端側２５ｂに、ドラム４に連結された、任意の構成である延長シート９を設けた例を示している。
【００１４】
そして、複数の連結部材５２の間の空間５６から、ドラム４に巻回されているカバーシート３および太陽光発電シート２を引き出し可能とし、且つ、ハンドル６によりドラム４を回転操作して太陽光発電シート２およびカバーシート３をドラム４に巻取り可能とされている。
【００１５】
この様なハンドル巻取り式ソーラー発電機１は、工事現場や電源設備の無いキャンプ場などの野外での活動、農地での電源、トレーラーハウスへの電源供給、その他の電源として広く利用でき、太陽光発電シート２などの引き出し、巻回しが容易で、ドラム４に巻回して太陽光発電シート２を収納した状態で簡単に持ち運ぶことができ、例えば、工事等の場合には工事が終わり次の場所へ移動する際にも手軽に使用することができる。
【００１６】
太陽光発電シート２は、フィルム型アモルファス太陽電池２１が好適に使用でき、これを太陽電池２１よりも若干大きな寸法を有する合成樹脂又は合成ゴム製の基台シートの上面に貼り付けて構成してもよいし、直接用いてもよい。本例ではフッ素系樹脂からなる基材シートを有する太陽電池２１をそのまま用いている。太陽電池２１は、カバーシート３と反対側である他端側２５ｂに、プラス／マイナスの出力電極と接続する配線２４を有する。本例では、配線２４は、他端側２５ｂの中央部から端縁に沿った太陽電池セルの存在しない部分のうち、ドラム４のドラム本体４１に設けられた配線孔４７に近い側に付設される。但し、配線孔４７がドラム本体４１の中央部に設けられている場合は、他端側２５ｂの中央部から直接延長シート９に沿うように配しても良いし、また、配線孔４７がドラム本体４１の中央部に設けられていない場合でも、同様に他端側２５ｂの中央部から直接延長シート９に沿って、適宜配線孔４７に向かうように配してもよい。
配線２４は、ドラム内部４４から配線孔４７を挿通して外部に延出する配線８２と接続される。配線２４と配線８２との接続は、それぞれの配線の先端部に設けられた図示しない各種のコネクタにより行っても良いし、配線を構成する導線を直接連結してもよい。尚、配線の先端部にコネクタを設けた場合は、太陽光発電シート２と、ドラム４や延長シート９との脱着、配線２４と外部機器との接続が容易となる。
【００１７】
また、太陽光発電シート２の両側端部２６ａ、２６ｂに長手方向に間隔をあけて複数の貫通孔２３を設けてもよい。これにより、ロープ等を通して野外の木等に展開状態で安定して支持することができ、風などの影響を殆ど受けることなく、より良好で安定した発電が可能となる。
太陽光発電シート２の幅寸法はドラム本体４１に巻回できれば特に限定はないが、太陽光発電シート２を均一に巻回してカバーシート３の巻回による保護を容易にする観点から、図３、５に示すように、ドラム本体４１の両側端部に設けられるフランジ部４２ａ間の距離より僅かに小さくするとよい。
【００１８】
カバーシート３は、本例では図２に示すように、太陽光発電シート２の幅寸法と同一の幅寸法を有し、且つカバーシート３の両側端縁３１ａ，３１ｂがそれぞれ太陽光発電シート２の両側端縁２６ａ，２６ｂとが一致するように連設されている。このような幅の寸法、位置関係は、ドラム４に巻回した際に、巻回された太陽光発電シート２の外周面全体を被包して確実に遮光し、保護するためである。もっとも、太陽光発電シート２の幅寸法が、ドラム４に巻回された太陽光発電シート２の両側端部２６ａ、２６ｂとフランジ部４２ａとの間に一定の空間が生じる程度の大きさである場合は、カバーシート３の幅寸法は、太陽光発電シート２の幅寸法より大きくして、フランジ部４２ａ間全体を被包可能な大きさにしても良い。
【００１９】
カバーシート３の素材は、光を透過させないフロント投写型の映写スクリーン生地が用いられている。このような遮光性のシートを採用することで、収納状態で内部の太陽電池が発電することを防止し、感電等を未然に回避して安全性を高めることができる。本発明はこのようなスクリーン生地に限らず、カバーシート３として紙等の繊維、皮、合成樹脂、ゴム、金属などの種々の素材を選択できる。カバーシート３と太陽光発電シート２は、金属製の雄雌の円形ホック２２、３２で互いに着脱可能に連結されている。これにより、いずれかのシートが破損等した場合にも破損したシートのみ交換できるように構成され、また、リサイクル等を容易としている。ホックの構造を鉤形としても良いし、その材質を金属以外の合成樹脂製としてもよい。またホック以外のその他の留め具でもよい。尚、カバーシート３と太陽光発電シート２との接合強度がより必要な場合は、接着剤を使用したり、縫い付けたり、その他の方法で着脱不能に接合してもよい。
【００２０】
カバーシート３の太陽光発電シート２の長手方向に沿った寸法は、太陽光発電シート２の保護の観点から、少なくともドラム４に巻回された太陽光発電シート２の外周面の周方向長さよりも長い寸法を有して、ドラム４に巻回された太陽光発電シート２の外周面を完全に包み込む（被包する）ことができるようにするのが好ましい。
【００２１】
本例では、図１、２に示すように、カバーシート３の太陽光発電シート２と反対側の端部には、太陽光発電シート２の外周面上に巻回されたカバーシート３をその状態で保持するための係止手段３３が設けられている。係止手段３３としては、例えば、細長い帯状のシートをカバーシートの外面から巻回して面ファスナーなどにより係止するものや、前記カバーシート３の端部の内面及び外面に互いに係合する金属製ないし樹脂製の雄雌の円形ないし鉤形のホックや面ファスナーなどを設けるものなどが挙げられるが、その他の公知の係止手段を用いてもよい。尚、細長い帯状のシートの場合は、係止手段をカバーシート３の特定の位置に固定して設けなくてもよい。
【００２２】
本発明では、任意の構成として、図１および２に示すように、太陽光発電シート２の他端側２５ｂに可撓性を有する延長シート９を配しても良い。
延長シート９は、太陽光発電シート２の幅寸法と同一の幅寸法を有し、且つ延長シート９の両側端縁９１ａ，９１ｂがそれぞれ太陽光発電シート２の両側端縁２６ａ，２６ｂとが一致するように連設されている。必ずしも、このような幅の寸法、位置関係とする必要はないが、ドラム４に太陽光発電シート２を巻回する際に、安定して巻回する観点からは、上記のような幅の寸法、位置関係とするのが好ましい。
【００２３】
延長シート９の素材は、特に限定はなく、繊維、皮、合成樹脂、ゴム、金属などの種々の素材を選択できる。延長シート９の一端側９４ａと太陽光発電シート２の他端側２５ｂは、金属製の雄雌の円形ホック２２、９３で互いに着脱可能に連結されている。これにより、日当たりが良好で、発電効率のより良好な場所や位置に、取り外した太陽光発電シート２のみを配置し、外部機器と接続することが可能である。このように、太陽光発電シート２を着脱可能に延長シート９に連結することで、後述するドラム４や支持フレーム５による携帯性や操作性のメリットを生かしつつ、より良好な発電が可能な位置に太陽光発電シート２を配することが可能となる。さらに、太陽光発電シート２が破損等した場合に交換も可能であり、また、リサイクル等を容易としている。ホックの構造を鉤形としても良いし、その材質を金属以外の合成樹脂製としてもよい。またホック以外のその他の留め具（面ファスナーなど）でもよい。
【００２４】
また、延長シート９とドラム４とは、延長シート９の他端側９４ｂに設けられた固定手段９２と、ドラム本体４１の外表面に設けられた固定手段４６とにより固定されている。固定手段９２と４６は、金属製ないし合成樹脂製の雄雌の円形ないし鉤形のホックや面ファスナーで互いに着脱可能に連結されていてもよいし、接着剤やその他の方法で着脱不能に接合してもよい。このように延長シート９とドラム４とを着脱可能／不能に固定する構成は、後述するドラム４の内部４４に配される蓄電池８等の交換作業を考慮して適宜決定すれば良い。
【００２５】
延長シート９の太陽光発電シート２の長手方向に沿った寸法は、太陽光発電シート２の全てを引き出した際に、太陽光発電シート２の発電素子全てに太陽光が確実に照射されるように設定すれば、特に限定はない。例えば、太陽光発電シート２の全てを引き出した際に、延長シート９の円形ホック９３を設けた部分が、近傍の連結部材５２よりも外側に位置するような長さである。
【００２６】
また、図示しないが、延長シート９には、太陽光発電シート２から延出する配線２４を保持するための手段を設けても良い。例えば、延長シート９に配線２４よりやや大きい貫通穴を所定間隔おきに複数形成し、配線２４をこれに表裏交互に挿通して縫うように取り付けることで弛みの無い配線構造を実現できる。また、該配線構造以外の構造を採用してもよい。
【００２７】
支持フレーム５は、ドラム４の回転軸４３をその両端部で回転可能に支持する一対の支持脚５１及びこれらの支持脚５１をドラム４の外側で互いに連結する複数（本実施形態では４つ）の連結部材５２よりなる。
【００２８】
上述のとおり、支持脚５１は、ドラム４をその両端部で支持して、ドラム４をその両端部に備えられた回転軸４３を中心軸として回転可能とするものであり、例えばハンドル巻取り式ソーラー発電機１を所望の設置面に配した状態で、ドラム４に巻回された太陽光発電シート２などの引き出し、引き出された太陽光発電シート２などのドラム４への巻回を可能とする。
【００２９】
支持脚５１の形状は、設置面に配した状態でドラム４を回動可能に支持できれば特に限定はない。本例では、図１〜５に示すように、支持脚５１の形状は略平板状であり、かつ、回転軸４３を支持する軸受部５４を中心として、４つの連結部材５２の連結部５５を結ぶ形状が正方形となる位置に各連結部５５を配し、連結部５５を配する位置の隣り合ういずれか２箇所（一対では４箇所）で、設置面と接し得るような形状としている。このように、連結部５５を結ぶ形状が正多角形となるように配することで、任意の隣り合う２箇所で支持することが可能となり、太陽光発電シート２の受光面をより効率的な位置に配することが容易となる。もっとも、これら以外の連結部５５の位置を採用しても差し支えない。
【００３０】
また、本例では、支持脚５１には、軽量化、材料コスト削減のため、各連結部５５を設けた部分の間には凹部５７を設けている。更に、ドラム４のドラム側端部４２に設けられた出力部７に外部出力用の配線を接続するため、支持脚５１を貫通する接続用穴５３を設けている。本例では、任意の長さに引き出した太陽光発電シート２に対応するドラム４の回転位置で、出力部７との接続を可能とするため、支持脚５１の一方に４つの接続用穴５３を設けている。接続用穴５３は、このように外部出力用配線の接続用のためのものであるが、このような貫通穴を設けることで、更なる軽量化を図ることも可能である。また、接続用穴の数は、本例では一方の支持脚５１に４つとしが、出力部７との接続位置の任意性および支持脚５１の強度を考慮して適宜決定すれば良い。
【００３１】
本例では、図１〜３に示すように、支持脚５１の形状として略平板状の例を示したが、支持脚５１のドラム４に面した側に凹部を設けてもよいし、複数の棒状体を軸受部から放射状に配してその末端部に連結部材を連結する連結部を設けてもよい（いずれも図示せず）。このような構成を採用することで更なる軽量化を図ることも可能である。
【００３２】
連結部材５２は、ドラム４の外側で一対の支持脚５１を互いに連結し、支持脚５１を補強して、支持脚５１の変形を防止して、ドラム４の安定した回転を確保するとともに、支持脚５１による支持を安定化するものである。本例では、連結部材５２は、一方の支持脚５１の連結部５５とその対応する他方の支持脚５１の連結部５５とに架設された、細長い円柱状ないし円筒状（棒状）の形状を有する。このように連結部材５２を棒状の形状にして、複数配することで、ドラム４全体を覆う従来の箱型あるいは筒型の収納ケースと異なり、支持フレーム５の強度を維持しつつ、ソーラー発電機１の軽量化やコスト削減が可能となる。連結部材５２が円筒状であれば、より軽量化を図ることが可能である。また、図１、２、４に示すように、複数の連結部材５２の間には空間５６が複数設けられているため、そのうちの何れかの空間５６から太陽光発電シート２などを通過させることが可能となり、任意の長さに引出された太陽光発電シート２の受光面を適切な方向に設定することが容易となる。また、連結部材５２は、持ち運びの際の把持部としての機能をも有し、ソーラー発電機１のよりコンパクトで良好な可搬性に寄与する。
尚、本例では、連結部材５２は、円柱状ないし円筒状の形状であるが、細長い平板状の棒状の形状にしても良いし、ドラム４の回転や、支持脚５１による支持を妨げないその他の形状を採用してもよい。
【００３３】
支持脚５１と連結部材５２とは、支持脚５１の連結部５５に連結部材５２の両端部を嵌め込んで、接着剤、ネジ、などの公知の方法で、着脱不能ないし着脱可能に固定すれば良い。
【００３４】
支持脚５１および連結部材５２を構成する材質は、金属、樹脂など種々の材質を採用可能であるが、軽量化の観点からは、公知の各種樹脂が好ましく、また耐候性などを考慮して各種添加剤を添加したものを用いてもよいし、耐候性などを付与する表面処理を施してもよい。
【００３５】
ドラム４は、本例では、図１〜４に示すように、主として、カバーシート３、太陽光発電シート２、延長シート９を巻回する円筒状のドラム本体４１と、ドラム本体４１の両側端部に位置し、フランジ部４２ａを有するドラム側端部４２と、ドラム側端部４２に設けられ、ドラム４の回転中心軸を形成する回転軸４３とから構成される。
【００３６】
また、ドラム側端部４２には、太陽光発電シート２による電力を出力する出力部７を備える。本発明では、太陽光発電シート２により発電された電力を直接出力部７へ出力してもよいし、太陽光発電シート２により発電された電力を調整するための回路部や、当該発電電力を蓄電するための蓄電池を介して出力部７へ出力してもよい。
【００３７】
本例では、図５に示すように、円筒状のドラム４のドラム内部４４に、任意の構成である、太陽光発電シート２により発電された電力を蓄電する蓄電池８と、蓄電池８への蓄電および出力部７からの出力電力を制御するための制御回路部８１が配されている。また、制御回路部８１、蓄電池８、出力部７および太陽光発電シート２は配線８２、８３、８４、２４を介して連結され、通電可能となっている。
【００３８】
このように、ドラム側端部４２に出力部７を設けるとともに、ドラム４の内部４４に蓄電池８や制御回路部８１を設けることにより、上記の支持フレーム５の構造と相俟って、全体としてコンパクトで可搬性に優れたハンドル巻取り式ソーラー発電機１を実現することが可能となる。
【００３９】
ドラム本体４１の外表面には、太陽光発電シート２の他端側２５ｂあるいは延長シート９の他端側９４ｂを接合固定するための固定手段４６が設けられている。固定手段４６は既に述べたとおりであるので、ここでは省略する。尚、太陽光発電シート２と固定手段４６との固定方法も、太陽光発電シート２と延長シート９またはカバーシート３との固定方法に準じて行えばよい。
【００４０】
また、ドラム本体４１の太陽光発電シート２などを巻回する部分を構成する筒状部分の壁面には、ドラム内部４４と外部とを連通する配線孔４７が設けられており、ドラム内部４４に設けられた制御回路部８１から配線孔４７を挿通して延出する配線８２とドラム４の外部に位置する太陽光発電シート２から延出する配線２４とを接続可能としている。
【００４１】
本例では、ドラム本体４１の両側端部に位置するドラム側端部４２には、フランジ部４２ａが設けている。また、太陽光発電シート２の幅寸法はドラム本体４１の両側端部に設けられる前記フランジ部４２ａ間の距離より僅かに小さくされている。そのため、太陽光発電シート２などを巻回した場合に、フランジ部４２ａにより巻回する方向が規制され、太陽光発電シート２などを回転方向に均一に巻回することが可能となる。その結果、巻回された太陽光発電シート２の外周面全体をカバーシート３により覆う（被包する）ことが可能となり、太陽光発電シート２の確実な保護と収納時における太陽光発電シート２の発電防止が可能となる。
【００４２】
回転軸４３は、ドラム４の外側に向かってドラム側端部４２に突設され、支持脚５１の軸受部５４に回転可能に嵌入される。回転軸４３は、ドラム側端部４２に一体的に設けても良いし、別部材として成形し、ドラム側端部４２に公知の方法で接合固定しても良い。
また、一方の回転軸４３には、後述するハンドル６を連結するためのハンドル連結部４５を設けている。
【００４３】
ハンドル６は、支持フレーム５の一方の支持脚５１の外方からドラム４の回転軸４３に連結される。本例では、図５に示すように、ハンドル６は、軸部６２と、軸部６２の一端から軸部６２の長手方向に対して略垂直方向に配された回転軸部６３と、軸部６２の他端から軸部６２の長手方向に対して略垂直方向で、かつ、回転軸部６３とは反転する方向に配された把持部６１とからなる。そして、回転軸部６３は、回転軸４３のハンドル連結部４５と連結し、把持部６１を手で把持して、回転させることにより、ドラム４を回転させることができる。また、図５に示すようなトルク形状のハンドル６を採用すると、小さな力でドラム４を回転可能であり、太陽光発電シート２などの巻取りをより迅速、簡便に行うことにより、太陽光発電シート２などの収納性の向上をさらに図るができる。
【００４４】
また、把持部６１の改良例としては、把持部６１の軸方向に別途軸部を設けて該軸部を中心軸として回動可能な筒状体を配した構成として、ハンドル６の操作性をより向上させたものや、その他の構成として、把持部６１を折畳み可能となるように構成し、把持部６１の外側への突出を低減して、ソーラー発電機１全体をよりコンパクトにしたものなどが挙げられる。
【００４５】
ハンドル６とドラム４に設けられた回転軸４３との連結方法は、特に限定はなく、公知の各種方法を採用すれば良い。本例では、図５に示すように、略円柱状の部分にＤカット面を形成した回転軸部６３をハンドル６に設けるとともに、回転軸部６３に嵌合するハンドル連結部４５を回転軸４３に設けて、相互に雄雌嵌合させ、両者を連結する。Ｄカット面は、単数設けても、複数設けてもよい。また、その他の例としては、回転軸部６３を角柱状や星形の柱状などにしたり、あるいは、円柱状の回転軸部６３の外表面にその軸方向に沿って凸条を設けるとともに、これらの回転軸部６３に嵌合するハンドル連結部４５を回転軸４３に設けて雄雌嵌合して相互に連結することなどが挙げられる。また、回転軸部６３と回転軸とは着脱可能に連結してもよいし、着脱不能に連結してもよい。尚、上記のような回転軸部６３の形状を採用すると、回転軸部６３とハンドル連結部４５を雄雌嵌合させただけで、ハンドル６がドラム４に対して空回りすることが防止されるため、着脱可能に連結する際に好適である。
【００４６】
出力部７は、ドラム側端部４２に設けられる。出力部７としては、市販の外部機器と接続可能な端子（シガーソケットなど）を採用すれば良い。また、本例では、図３〜５に示すように、出力部７を一方のドラム側端部４２に２つ設けているが、出力部７の配置数、位置は特に限定はない。
【００４７】
また本例では、図５に示すように、出力部７は、ドラム内部４４において、任意の構成である制御回路部８１と配線８３を介して接続されている。さらに、制御回路部８１には、任意の構成である蓄電池８と、太陽光発電シート２とがそれぞれ配線８４と配線８２を介して接続されている。
【００４８】
制御回路部８１は、太陽光発電シート２により発電された電力を安定して出力部７に接続された外部機器など（図示せず）に供給し、また、過充電により蓄電池８の劣化を防止し、安全に蓄電池８へ電力を供給するように電圧を制御する。さらに、太陽光発電シート２の発電電力が大きい場合は、これら両者（外部機器と蓄電池８への電力供給）を同時に行うことが可能であり、急な天候変化などのために太陽光発電シート２の発電電力が小さくなった場合は、太陽光発電シート２による発電によって予め充電された蓄電池８からも出力部７へ電力を供給することが可能である。当然のことながら、夜間の場合は、太陽光発電シート２による発電によって予め充電された蓄電池８のみから、外部機器への電力供給が可能である。
【００４９】
また、制御回路部８１は、太陽光発電シート２の発電電力を１２Ｖに変換する回路を備えるのが好ましい。これにより、出力部７へ市販の外部機器である１２Ｖバッテリーを直接接続することができるほか、市販のＡＣインバーターを用いることで、ＡＣ１００Ｖの外部機器を接続することもできる。また、制御回路部８１にはＤＣ１２ＶをＤＣ５Ｖに変換する回路を設けてもよい。これにより、外部機器である携帯電話機や各種バッテリーの充電が可能となる。
【００５０】
蓄電池８は、鉛蓄電池、ニッケル水素蓄電池、リチウムイオン蓄電池など公知のものを適宜選択して用いればよく、市販のものを採用することができる。尚、鉛蓄電池は、充放電カーブが他の蓄電池に比べてリニアで充放電制御が行いやすく、安価で安全性も高いため、好適例の一つである。
【００５１】
尚、本発明では、上記の制御回路部８１や蓄電池８をドラム４の内部４４に設けなくてもよい。この場合は、ドラム４の外部に配された制御回路部８１と同様の機能を有する制御装置に接続し、当該制御装置を介して外部機器と接続してもよいし、また、同様にドラム４の外部に配された蓄電池に接続してもよい。
【００５２】
また本発明では、ソーラー発電機１単体で発電し、電力を供給することができるが、ソーラー発電機１や他の太陽光発電装置を複数並列に接続する連結用端子をドラム４のドラム側端部４２に設けることも好ましい実施例である。このように接続可能に構成すれば、他のソーラー発電機１やその他の太陽光発電装置を容易に増設でき、１台のソーラー発電機１から出力部７を介して出力する電力量を容易に高めることができる。
【００５３】
本発明では、ドラム内部４４に配される蓄電池８や制御回路部８１などを交換可能に配することができる。例えば、これら構成部品を基板の上に配し、ドラム本体４１とドラム側端部４２とを着脱可能に構成し、前記基板をドラム内部４４に着脱可能に配置したり、あるいは、ドラム本体４１に開閉窓を設けて、該窓を介して構成部品を取り出し可能に配置したりすることなどが例示できる。
【符号の説明】
【００５４】
１  ハンドル巻取り式ソーラー発電機
２  太陽光発電シート
２１  フィルム型アモルファス太陽電池
２２  円形ホック
２３  貫通孔
２４  配線
２５ａ  太陽光発電シート２の長手方向一端側
２５ｂ  太陽光発電シート２の長手方向他端側
２６ａ、ｂ  太陽光発電シート２の両側端部
３  カバーシート
３１ａ、ｂ  カバーシート３の両側端縁
３２  円形ホック
３３  係止手段
４  ドラム
４１  ドラム本体
４２  ドラム側端部
４２ａ  フランジ部
４３  回転軸
４４  ドラム内部
４５  ハンドル連結部
４６  固定手段
４７  配線孔
５  支持フレーム
５１  支持脚
５２  連結部材
５３  接続用穴
５４  軸受部
５５  連結部
５６  空間
５７  凹部
６  ハンドル
６１  把持部
６２  軸部
６３  回転軸部
７  出力部
８  蓄電池
８１  制御回路部
８２、８３、８４  配線
９  延長シート
９１ａ、ｂ  延長シート９の両側端縁
９２  固定手段
９３  円形ホック
９４ａ  延長シート９の一端側
９４ｂ  延長シート９の他端側
【図１】
2012028447.tif 000003
【図２】
2012028447.tif 000004
【図３】
2012028447.tif 000005
【図４】
2012028447.tif 000006
【図５】
2012028447.tif 000007